(57)【要約】【課題】  紙送り機構部の大幅な変更をすることなく安価な部品を用いて印字用紙の先頭頁を無駄にすることなく印刷させることにある。【解決手段】  本発明は、多部連続紙の先頭頁の先端部を、連続紙と同じ幅で、かつ同じ送り穴ピッチを有するダミーシートを挟むように接続し、先頭頁を印刷することで実現する。【選択図】        図１
2012116135.tif 000002
【特許請求の範囲】
【請求項１】
複数個の印刷素子を搭載した印刷機構部と、印刷機構部を桁方向に往復移動させるためのシャトル機構と、両端に連続的に配置する送り穴を有する複数枚の紙が重なっている多部連続紙とトラクタとを係合させ、前記多部連続紙を搬送するトラクタと該トラクタを保持し、駆動させるトラクタ駆動軸及び該トラクタ駆動軸を回転させる動力を与える紙送りモータを有し、前記多部連続紙を前記トラクタで引き上げる構造のドットラインプリンタにおいて、
前記多部連続紙の先頭頁の先端に、その両端に連続的に送り穴を配置したダミーシートを挟み接続した上で先頭頁を印刷することを特徴とするドットラインプリンタ。
【請求項２】
複数個の印刷素子を搭載した印刷機構部と、印刷機構部を桁方向に往復移動させるためのシャトル機構と、両端に連続的に配置する送り穴を有する複数枚の紙が重なっている多部連続紙とトラクタとを係合させ、前記多部連続紙を搬送するトラクタと該トラクタを保持し、駆動させるトラクタ駆動軸及び該トラクタ駆動軸を回転させる動力を与える紙送りモータを有し、前記多部連続紙を前記トラクタで引き上げる構造のドットラインプリンタにおいて、
前記多部連続紙とほぼ同じ幅で所定の長さを有し、かつ同じピッチの送り穴が形成され、二つ折に畳んで使用するように先端部及び後端部の両方に接続部を有することを特徴とするドットラインプリンタ用のダミーシート。
【発明の詳細な説明】
【技術分野】
【０００１】
本発明は、ドットラインプリンタの連続紙の先頭頁印刷に関するものである。
【背景技術】
【０００２】
図５にドットラインプリンタの印字機構の概略を示す。
【０００３】
印刷素子を有する印刷機構部１は、図示していないシャトル機構部により桁方向（用紙送り方向と直交方向）に往復運動する。また、印刷機構部１は、インクリボン２と連続紙３とを介して、印字力を確保するためのプラテン４と対向した状態で配置されている。往復運動した状態で印刷素子が適時駆動される毎に、ドットマトリクスの形で文字、図形等を連続紙３に印字する。
【０００４】
トラクタ６及びトラクタ７は、連続紙３の両端に連続的に配置される連続紙の送り穴１６にピンを契合させ、連続紙３を搬送するものである。連続紙３は印刷機構部１の往復運動の過程で適時、トラクタ６及びトラクタ７を配置した紙送り機構部８及び紙送りモータ５により行方向（用紙送り方向）に送られる。
【０００５】
主に連続紙３はドットマトリックスをインパクト方式により印刷することから、裏カーボン複写紙あるいは発色系ノンカーボン紙等を複数枚重ね合わせた印刷用紙（多部紙）を使用するのが通例である。
【０００６】
図４に連続紙のセット時の印刷機構部１との位置関係の概略を示す。
【０００７】
前述したように、トラクタ６、７は印刷機構部１の上部に配設されているため、実際の印刷は連続紙の送り穴１６がトラクタ６、７のピンと契合し連続紙３を搬送できる位置からとなる。すなわち、従来の技術では、連続紙３の先頭頁２０は搬送のためトラクタ６、７セットにされる。その結果、先頭頁には印刷機構部１の印刷素子からトラクタ６、７にて搬送可能な位置までの間を印刷することができない。
【０００８】
一方、連続帳票印刷用紙の種類により用紙長はさまざまである。例えば、用紙長の短い連続帳票連続紙の所定位置に印刷する場合、トラクタ６、７の搬送可能な位置まで複数頁が必要となる。また、特殊な例であるが先頭頁２０からシリアル番号により管理された連続帳票印刷用紙は先頭頁２０への印刷ができないことから、本印刷機構のプリンタでは対象外の用紙とされていた。
【０００９】
これを解決する方法として、電子写真装置用の連続紙の先端にアダプタを片面に接続する先行技術が存在する（例えば特許文献１参照）。
【発明の概要】
【発明が解決しようとする課題】
【００１０】
前記したように、連続帳票連続紙の先頭頁は印刷機構部の印刷素子からトラクタにて搬送可能な位置まで印刷することができない。従って、連続紙の所定位置へ印刷するため余分に送られた頁は無駄となり破棄されていた。
【００１１】
また、電子写真装置用の１部紙の連続紙の先端にアダプタを接続する方法は用紙の無駄の削減に有効である。しかしながら、ドットラインプリンタに用いられる多部紙の連続紙の場合、１部目の表面あるいは最終部の裏面のいずれかにアダプタを接続して運用すると、この状態で多部紙がトラクタに搬送される間に接続頁以外の頁が不安定な状態となり、連続紙の先頭がトラクタに至る前にジャムを生じるケースがある。また、トラクタのピンと容易に勘合出来ない問題がある。
【００１２】
そこで、本発明の課題は、紙送り機構部の大幅な変更をすることなく安価な部品を用いて連続帳票印刷用紙の先頭頁を無駄にすることなく印刷することにある。
【課題を解決するための手段】
【００１３】
上記課題を解決するため、本発明においては、複数個の印刷素子を搭載した印刷機構部と、印刷機構部を桁方向に往復移動させるためのシャトル機構と、両端に連続的に配置する送り穴を有する複数枚の紙が重なっている多部連続紙とトラクタとを係合させ、前記多部連続紙を搬送するトラクタと該トラクタを保持し、駆動させるトラクタ駆動軸及び該トラクタ駆動軸を回転させる動力を与える紙送りモータを有し、前記多部連続紙を前記トラクタで引き上げる構造のドットラインプリンタにおいて、前記多部連続紙の先頭頁の先端に、その両端に連続的に送り穴を配置したダミーシートを挟み接続した上で先頭頁を印刷することを特徴とする。
【００１４】
また、上記課題を解決するため、本発明においては、複数個の印刷素子を搭載した印刷機構部と、印刷機構部を桁方向に往復移動させるためのシャトル機構と、両端に連続的に配置する送り穴を有する複数枚の紙が重なっている多部連続紙とトラクタとを係合させ、前記多部連続紙を搬送するトラクタと該トラクタを保持し、駆動させるトラクタ駆動軸及び該トラクタ駆動軸を回転させる動力を与える紙送りモータを有し、前記多部連続紙を前記トラクタで引き上げる構造のドットラインプリンタに用いるダミーシートとして、前記多部連続紙とほぼ同じ幅で所定の長さを有し、かつ同じピッチの送り穴が形成され、二つ折に畳んで使用するように先端部及び後端部の両方に接続部を有することを特徴とする。
【発明の効果】
【００１５】
本発明によれば、本発明は、紙送り機構部の大幅な変更をすることなく安価な部品を用いて連続紙の先頭頁を無駄にすることなく印刷することができる。
【図面の簡単な説明】
【００１６】
【図１】本発明の一例となるダミーシートの概略形状図である。
【図２】本発明のダミーシートと連続紙先頭との接続を示す説明図である。
【図３】本発明のダミーシート接続時の印刷機構部との位置関係を示す説明図である。
【図４】従来の連続紙セット時の印刷機構部との位置関係図である。
【図５】ドットラインプリンタの印刷機構部の概略構成図である。
【発明を実施するための形態】
【００１７】
図５にドットラインプリンタの印刷機構部の概略を示す。
【００１８】
複数の印刷素子（図示せず）を有する印刷機構部１１は、シャトル機構部（図示せず）の駆動力により桁方向に往復運動される。インクリボン２と連続紙３を介して、印刷力を確保するためのプラテン４と対向した状態で配置されている。印刷機構部１が往復運動している状態で印刷素子が適時駆動される毎に、インクリボン２を介して連続紙３にドットマトリクスの形で印刷される。更に、ドットマトリクス形式の印刷後、連続紙３の搬送を行う。連続紙３はその両端に設けてある用紙送り穴をトラクタ６、７の送りピンに係合させ、トラクタ駆動用のステッピングモータ５により相切り替え（１ステップ回転）を行い、トラクタ６、７を駆動させることにより連続紙３を搬送させる。これらトラクタ６、７はトラクタ駆動軸８にて保持されており、このトラクタ駆動軸８にステッピングモータ５の駆動が伝えられることにより駆動される構成となっている。そして、このように、ドットマトリクス形式の印刷と紙送り動作を繰り返し行うことにより、文字、図形等の印刷がなされる。
【００１９】
以下、本発明の一例について、図１、図２及び図３を用いて説明する。
【００２０】
図１は、ダミーシート１４の概略形状を示した図である。ダミーシート１４の幅の大きさは印刷を行う発色系ノンカーボン紙等の複数の紙が重なっている多部連続紙３と同幅とし、長さは少なくとも印刷機構部１の印刷素子位置からトラクタ６、７先端までの長さ以上の大きさで、両端には印刷用紙３と同じトラクタ６、７のピンと係合し、搬送するためのダミーシートの送り穴１７が配置されている。また、ダミーシート１４はプラスチック等の素材とし、好ましくは多部紙と同等、またはそれ以上の剛性を有するものがよい。
【００２１】
また、ダミーシート１４の端部には連続紙３と接続するための粘着部１５を配置している。搬送時の接続保持の安定を図るため、連続紙３の表裏面を粘着部で接続する構造としている。つまり、ダミーシート１４の先端部と後端部の両方に粘着部が設けられており、二つ折りに畳んで、連続紙３を挟み込んで接続するようになっている。なお、粘着部１５はダミーシート１４を連続紙３から取り外す際、連続紙３にダメージを与えない程度の粘着力としている。
【００２２】
連続紙の送り穴１６とダミーシートの送り穴１７の桁方向の位置を合わせ、かつ接続部で相互の送り穴のピッチが同間隔になるように連続紙３の先頭頁２０の先端にダミーシート１４を接続する。接続したダミーシート１４をトラクタ６、７にセットすることで印刷機構部１の印刷素子位置が先頭頁２０の範囲に位置し、印刷位置を調整することで先頭頁２０の所定位置に印刷をすることができる。なお、ダミーシート１４は印刷終了後に取り外し、繰り返し利用する。
【００２３】
以上説明したように、本発明は、印刷機構部１１の大幅な変更をすることなく、両端に連続的に配置するダミーシートの送り穴１７を有する剛性の小さいプラスチックシート（ダミーシート１４）を連続紙３の先頭頁２０に配置することで実現できる。
【符号の説明】
【００２４】
１は印刷機構部、２はインクリボン、３は印字用紙、４はプラテン、５は紙送りモータ、６、７はトラクタ、８は紙送り機構部、１１は印刷機構部、１４はダミーシート、１５は粘着材、１６は印字用紙の送り穴、１７はダミーシートの送り穴、２０は先頭頁である。
【先行技術文献】
【特許文献】
【００２５】
【特許文献１】特開平０７−１２５８８８号公報
【図１】
2012116135.tif 000003
【図２】
2012116135.tif 000004
【図３】
2012116135.tif 000005
【図４】
2012116135.tif 000006
【図５】
2012116135.tif 000007